(57)【要約】【課題】  操作性及び意匠性に優れた開放・遮蔽可能な面格子を提供する。【解決手段】  面格子本体１と該面格子本体の開口部５を遮蔽するスクリーン４とを有し、該スクリーンの開閉により上記開口部の開放、遮蔽を可能とした面格子であって、上記面格子本体１が、該面格子本体の四周を構成する面格子外枠２と、それに装着され引き違いに移動可能な複数の移動格子３とを有し、該移動格子を構成する縦格子の一つが、スクリーン４を出入自在に収納するスクリーン格子３４をとして形成される。上記スクリーン４は、上記移動格子３の移動に伴って上記開口部５を開放または遮蔽するように移動格子３の移動に連動させる。【選択図】    図３
2006104677.tif 000002
【特許請求の範囲】
【請求項１】
面格子本体と該面格子本体の開口部を遮蔽するスクリーンとを有し、該スクリーンの開閉により上記開口部の開放、遮蔽を可能とした面格子において、
上記面格子本体が、該面格子本体の四周を構成する面格子外枠と、それに装着され引き違いに移動可能な複数の移動格子とを有し、
該移動格子は、複数の格子部材を有し、これら複数の格子部材の少なくとも一つが、スクリーンを出入自在に収納するスクリーン格子を構成しており、
上記スクリーンを、上記移動格子の移動に伴って上記開口部を開放または遮蔽するように移動格子の移動に連動させた、
ことを特徴とする開放・遮蔽可能な面格子。
【請求項２】
二つの上記移動格子が上記面格子外枠内で左右に引き違いに装着され、
スクリーンがスクリーン格子に収納された状態において、面格子枠の中央において両移動格子の互いに重なる格子部材の少なくとも一方が、上記スクリーン格子からなり、
該スクリーン格子に収納されているスクリーンの先端が、重なり合う他方の格子部材、または、該他方の格子部材を構成するスクリーン格子に収納されたスクリーンの先端に固定されている、
ことを特徴とする請求項１に記載の開放・遮蔽可能な面格子。
【請求項３】
上記移動格子のそれぞれを連結部材で連結することにより互いに同期して逆方向に移動可能にした、
ことを特徴とする請求項２に記載の開放・遮蔽可能な面格子。
【請求項４】
上記連結部材が、可撓のワイヤーからなり、
上記面格子外枠を構成する上下横枠内の少なくとも一方の略中央にワイヤー巻掛具を設け、
上記二つの移動格子のそれぞれの左端同士及び右端同士を相互に連結するワイヤーを、それぞれ上記ワイヤー巻掛具に巻掛けた、
ことを特徴とする請求項３に記載の開放・遮蔽可能な面格子。
【請求項５】
上記連結部材が、可撓のワイヤーからなり、
上記面格子外枠を構成する上下横枠の少なくとも一方の両端角部にワイヤー巻掛具を設け、
上記二つの移動格子のそれぞれの左端同士及び右端同士を相互に連結するワイヤーを、それぞれ上記ワイヤー巻掛具に巻掛けた、
ことを特徴とする請求項３に記載の開放・遮蔽可能な面格子。
【請求項６】
上記移動格子が、該移動格子を面格子外枠に固定するロック機構を有する、
ことを特徴とする請求項１ないし５のいずれかに記載の開放・遮蔽可能な面格子。
【請求項７】
上記スクリーン格子が、該スクリーン格子内に設けられた巻取り軸に内蔵したスプリングを巻取り用の駆動源として、上記スクリーンを巻取り軸に巻き取って収納する巻取り機構を備える、
ことを特徴とする請求項１ないし６のいずれかに記載の開放・遮蔽可能な面格子。
【発明の詳細な説明】
【技術分野】
【０００１】
本発明は、面格子本体の開口部を開放状態と遮蔽状態とに切り換えることができる面格子に関するものであり、より詳しくは、スクリーンを張設することにより遮蔽し、スクリーンを巻き取ることにより開放することができる開放・遮蔽可能な面格子に関するものである。
【背景技術】
【０００２】
防犯上の観点から、窓に面格子を設けることは広く行われている。そして、この面格子は、格子間が開放されているが、状況に応じては遮蔽したい場合がある。
従来は、面格子間を遮蔽する場合、その面格子間に半透明のプラスチック平板、波板等を取り付けているが、固定的なものになるため、開閉自在なスクリーンを後付けするようにしたものが提案されている（特許文献１）。しかしながら、もともとスクリーンの取付けを想定して設計された面格子に取り付けるものではないので、取付けが面倒であったり、スクリーンの巻取り装置が嵩張ったりして、施工性が悪い上に、意匠性を損なうなどの問題があった。
また、最初から開閉自在なスクリーンを組み込んだ面格子も提案されている（特許文献２）が、単に面格子の上部にスクリーンの巻取り装置を付設して面格子面にスクリーンを開閉自在にしたものであり、操作性、意匠性の考慮が不足しており、上記のスクリーンを後付けした面格子と大差がない。
【０００３】
【特許文献１】特開２００３−２０６６７９
【特許文献２】特開２００１−０６５２７３
【発明の開示】
【発明が解決しようとする課題】
【０００４】
本発明は、従来の上記問題を解決し、操作性及び意匠性に優れた開放・遮蔽可能な面格子を提供することにある。  
【課題を解決するための手段】
【０００５】
上記課題を解決するための本発明の開放・遮蔽可能な面格子は、面格子本体と該面格子本体の開口部を遮蔽するスクリーンとを有し、該スクリーンの開閉により上記開口部の開放、遮蔽を可能とした面格子において、上記面格子本体が、該面格子本体の四周を構成する面格子外枠と、それに装着され左右または上下に引き違いに移動可能な複数の移動格子とを有し、該移動格子は、複数の格子部材を有し、これら複数の格子部材の少なくとも一つが、スクリーンを出入自在に収納するスクリーン格子を構成しており、上記スクリーンを、上記移動格子の移動に伴って上記開口部を開放または遮蔽するように移動格子の移動に連動させたことを特徴とするものである。
【０００６】
本発明の面格子の好ましい実施形態においては、二つの上記移動格子が上記面格子外枠内で左右に引き違いに装着され、スクリーンがスクリーン格子に収納された状態において、面格子枠の中央において両移動格子の互いに重なる格子部材の少なくとも一方が、上記スクリーン格子からなり、該スクリーン格子に収納されているスクリーンの先端が、重なり合う他方の格子部材、または、該他方の格子部材を構成するスクリーン格子に収納されたスクリーンの先端に固定される。
【０００７】
本発明の面格子の他の好ましい実施形態においては、上記移動格子のそれぞれを連結部材で連結することにより互いに同期して逆方向に移動可能に構成され、具体的には、上記連結部材が、可撓のワイヤーからなり、上記面格子外枠を構成する上下横枠内の少なくとも一方の略中央にワイヤー巻掛具を設け、あるいは、上記面格子外枠を構成する上下横枠の少なくとも一方の両端角部にワイヤー巻掛具を設け、上記二つの移動格子のそれぞれの左端同士及び右端同士を相互に連結するワイヤーを、それぞれ上記ワイヤー巻掛具に巻掛けたものとして構成される。
【０００８】
また、本発明の面格子においては、上記移動格子が、該移動格子を面格子外枠に固定するロック機構を有するものとすることができ、更に、上記スクリーン格子が、該スクリーン格子内に設けられた巻取り軸に内蔵したスプリングを巻取り用の駆動源として、上記スクリーンを巻取り軸に巻き取って収納する巻取り機構を備えたものとするのが望ましい。
【発明の効果】
【０００９】
上述した本発明によれば、操作性及び意匠性に優れた開放・遮蔽可能な面格子を得ることができる。
【発明を実施するための最良の形態】
【００１０】
本発明に係る面格子は、建物の窓面等に設けられ、スクリーンにより面格子本体の開口部を開放・遮蔽可能にしたもので、図１〜図３は、その第１実施例における面格子本体１の開口部５を開放した状態を示し、図４〜図６は、同実施例における面格子本体１の開口部５をスクリーンで遮蔽した状態を示し、図７は、同実施例の縦断面図を示している。
上記面格子は、面格子本体１と該面格子本体１の開口部５を遮蔽するスクリーン４（図４〜図６）とを有し、該スクリーン４の開閉により上記開口部５の開放、遮蔽を可能にしたものであり、上記面格子本体１は、該面格子本体の四周を構成する面格子外枠２と、それに装着されて引き違いに移動可能な複数の移動格子３とを備えている。
上記面格子本体１は、図３に示すように、建物開口部１０における硝子障子１１の周囲外側面等に、取り付け具９，９を用いて固定されるものである。
【００１１】
上記面格子外枠２は、図１における左右にそれぞれ設けられた縦枠材２０，２１と、上下にそれぞれ設けられた横枠材２２，２３とを備え、これらの枠材２０〜２３を枠状に組付けて形成されている。
また、上記移動格子３は、上記面格子外枠２内に、引き違いに移動するように装着された引き戸状のもので、建物側から見て外側に位置する外側移動格子３Ａと、内側に位置する内側移動格子３Ｂとからなり、それらは、それぞれ数本の縦格子３１ａ〜３１ｃ及びそれらの上下端を連結する上下部横格子３２，３３からなる格子部材を連結することにより構成されている。
【００１２】
上記移動格子３のうち、特に内側移動格子３Ｂにおける縦格子は、図２及び図３に示すように、以下に説明するスクリーン格子３４を構成する縦格子３１ａと、後述のロック機構３５を付設した縦格子３１ｂと、単純な縦格子３１ｃとからなり、これらの上下端を上下部横格子３２，３３により連結している。
一方、外側移動格子３Ａにおける各縦格子３１ａ〜３１ｃは、図示の例ではいずれも単純な縦格子により形成され、それらの上下端が上下部横格子３２，３３により連結されている。
【００１３】
上記スクリーン格子３４は、一般的にロールスクリーン装置として知られている形態を有するもので、格子枠の内部にスクリーン４を巻き取る中空の巻取り軸３４ａが回転自在に支持され、該巻取り軸３４ａにスクリーン４の巻取り用の駆動源となるスプリングが内蔵されている。そして、そのスプリングによりスクリーン４が巻取り軸３４ａに巻き取られ、該スクリーン格子３４の内部に収納されている。
【００１４】
移動格子３が面格子外枠２内で左右に引き違いに装着され、図１〜図３に示すように保持された状態で、スクリーン格子３４の外側面、即ち、上記スクリーン格子３４における外側移動格子３Ａの縦格子３１ｃに対向する面には、巻取り軸３４ａに巻き取られたスクリーン４が出入するスリット３４ｂが設けられている。そして、該スリット３４ｂから引き出されたスクリーン４の先端が、それと重なり合う外側移動格子３Ａの縦格子３１ｃの内側面、即ち、スクリーン格子３４と対向する面に固定されている。
従って、この状態では、面格子本体１の開口部５は開放されているが、移動格子３を図４〜図６に示すような状態に移動させることにより、スクリーン４がスクリーン格子３４から引き出され、面格子本体１の開口部５がスクリーン４で遮蔽される。つまり、上記スクリーン４は、上記移動格子３の移動に伴って上記開口部５を開放または遮蔽するように移動格子３の移動に連動するようにしている。
【００１５】
なお、移動格子３が図１〜図３に示すように保持された状態でスクリーン格子３４に重なる外側移動格子３Ａの縦格子３１ｃも、スクリーン格子３４によって構成することができ、この場合には、内側移動格子３Ｂにおける縦格子３１ａと外側移動格子３Ａにおける縦格子３１ｃを構成する各スクリーン格子３４におけるスクリーン４の先端を相互に固定することになる。
【００１６】
また、内側移動格子３Ｂの中央の縦格子３１ｂに付設されたロック機構３５は、図２、図３、図５及び図６からわかるように、ロック操作子３５ａの回転操作により該縦格子３１ｂ内をその上下に出没するロッド３５ｂ，３５ｂを備えると共に、該内側移動格子３Ｂが面格子外枠２内で左右両端位置にあるときに上下横枠材２２，２３における上記縦格子３１ｂの上下端が対向する部位に、それぞれ上記各ロッド３５ｂ，３５ｂの先端が係止する開口３５ｃ，３５ｃを設けている。
なお、上記ロック機構３５を構成するロッド３５ｂ，３５ｂ及び開口３５ｃ，３５ｃは、上述した位置に限らず、外側及び内側移動格子３Ａ，３Ｂにおける任意ロック位置に対向させて配置することができる。また、ロック操作子３５ａの回転操作により縦格子３１ｂ内においてロッド３５ｂ，３５ｂを上下に出没させるための機構は、リンクやカムを利用した任意の周知機構を採用することができる。
【００１７】
次に、上記外側及び内側移動格子３Ａ，３Ｂのそれぞれを連結部材で連結することにより互いに同期して逆方向に移動させる同期移動機構の構成について説明する。
上記第１実施例における同期移動機構は、図１、図４及び図７において示しているように、上記移動格子３Ａ，３Ｂのそれぞれを可撓のワイヤー４０ａ，４０ｂからなる連結部材で連結することにより、互いに同期して逆方向に移動可能にしたもので、具体的には、上記二つの移動格子３Ａ，３Ｂのそれぞれの同一側端同士（左端同士及び右端同士）を相互にワイヤー４０ａ，４０ｂで連結し（図８参照）、一方、上記面格子枠２を構成する上下横枠２２，２３内の略中央にそれぞれワイヤー巻掛具４３Ａ，４３Ｂを設け、これらのワイヤー巻掛具４３Ａ，４３Ｂは、上記移動格子３Ａ，３Ｂのそれぞれの端部に連結したワイヤー４０ａ，４０ｂを外方に向けて転向させる転向子（ローラ）４４ａ，４４ｂと、該転向子によって転向させた一連のワイヤー４０ａ，４０ｂを外側及び内側移動格子３Ａ，３Ｂ間でガイドするガイド輪４４ｃとを備えている。
【００１８】
即ち、図１において、外側移動格子３Ａの左端部に連結したワイヤー４０ａは、ワイヤー巻掛具４３Ａにおける転向子４４ａからガイド輪４４ｃを経て、他側の同軸上の転向子４４ａに巻き掛け（図７参照）、内側移動格子３Ｂの左端部に連結している。ワイヤー４０ａの長さは、二つの移動格子３Ａ，３Ｂが図１または図４の位置を取り得る長さである。また、他方のワイヤー４０ｂも上記とは逆であるが、同様にして移動格子３Ａ，３Ｂの右端間に張設される。
【００１９】
図８の（Ａ）〜（Ｃ）は、上記第１実施例の面格子に採用し得る同期移動機構の他の一例における移動格子３の異なる移動状態を模式的に示すもので、この同期移動機構は、上記二つの移動格子３Ａ，３Ｂ間を、上記実施例の場合と同様に、それぞれの左端同士及び右端同士を相互に可撓のワイヤー４１ａ，４１ｂで連結し、一方、上記面格子枠２を構成する上下横枠２２，２３内の略中央にそれぞれワイヤー巻掛具４３Ａ，４３Ｂを設け、これらのワイヤー巻掛具４３Ａ，４３Ｂは、上記移動格子３Ａ，３Ｂのそれぞれの端部に連結したワイヤー４１ａ，４１ｂを互いに反対側の移動格子３Ｂ，３Ａに導く転向子（ローラ）４５ａ，４５ｂとして構成している。
【００２０】
即ち、外側移動格子３Ａの右端部に連結したワイヤー４１ａは、ワイヤー巻掛具４３Ａにおける転向子４５ａを経て転向子４５ｂに巻き掛け、内側移動格子３Ｂの右端部に連結している。ワイヤー４１ａの長さは、前記実施例と同様に、二つの移動格子３Ａ，３Ｂが図８の（Ａ）及び（Ｃ）の位置を取り得る長さである。また、他方のワイヤー４１ｂも上記とは逆であるが同様にして張設される。
なお、図８の（Ａ）は、スクリーン４がスクリーン格子３４内に収納されて両移動格子３Ａ，３Ｂにおける開口部５が開放された状態を、同図（Ｂ）は二つの移動格子３Ａ，３Ｂが中央に位置し、そのため両移動格子がある部分だけにスクリーン４が張設された状態を、同図（Ｃ）は、全面的にスクリーン４が張設されて両移動格子３Ａ，３Ｂにおける開口部５が遮蔽された状態を示している。
【００２１】
図９の（Ａ）〜（Ｃ）は、上記同期移動機構の他の構成例における移動格子３の異なる移動状態を模式的に示すもので、上記二つの移動格子のそれぞれの左端同士及び右端同士を相互に連結する可撓のワイヤー４２ａ，４２ｂを、面格子外枠２を構成する上下横枠２２，２３の両端角部に設けたワイヤー巻掛具４３Ａ，４３Ｂに巻き掛けている。
即ち、外側移動格子３Ａの右端部に連結したワイヤー４２ａは、ワイヤー巻掛具４３Ａにおける転向子４６ａに巻き掛けたうえで、内側移動格子３Ｂの右端部に連結している。ワイヤー４２ａの長さは、前記実施例と同様に二つの移動格子３Ａ，３Ｂが図９の（Ａ）及び（Ｃ）の位置を取り得る長さである。また、他方のワイヤー４２ｂも上記とは逆であるが同様にして張設される。
【００２２】
これらの構成により、外側移動格子３Ａと内側移動格子３Ｂとは、一方を移動すると他方が同期して引き違いに反対側に移動するように構成することができる。
なお、ここでは、面格子の作動を円滑にするために、上記上下横枠２２，２３の両者内に同期移動機構を構成するワイヤー及びワイヤー巻掛具を設けているが、それを上下横枠２２，２３のいずれか一方のみに設けることができる。
【００２３】
ついで、前記第１実施例の面格子の作用について説明する。
図１〜図３に示すように、外側移動格子３Ａが面格子外枠２の一方の縦枠材２０に当接し、内側移動格子３Ｂが他方の縦枠材２１に当接している状態では、スクリーン４がスクリーン格子３４内に収納され、面格子本体１の開口部５は開放されている。この状態では、内側移動格子３Ｂの縦格子３１ｂに内蔵されたロッド３５ｂを上下横枠材２２，２３に設けられたそれぞれの開口３５ｃに貫通させ、両移動格子３を移動不能にすることができる。
【００２４】
つぎに、この面格子を取り付けた窓の目隠しをしたい場合には、ロック操作子３５ａにより開口３５ｃに係合させていたロッド３５ｂを該開口３５ｃから抜脱し、それによって移動可能になった外側または内側移動格子３Ａ，３Ｂを他方の縦枠材に向って移動させる。この場合、前記同期移動機構により外側及び内側移動格子３Ａ，３Ｂが同期して引き違いに反対方向に移動し、この移動に伴い、外側移動格子３Ａの上記スクリーン４の先端を固定した縦格子３１ａも当然のことながら移動し、内側移動格子３Ｂのスクリーン格子３４の移動と相俟って、スクリーン格子３４からスクリーン４が引き出され、引き出されたスクリーン４は、外側移動格子３Ａの縦格子３１ａとスクリーン格子３４との間に張設される。
【００２５】
そして、内側移動格子３Ｂが縦枠材２０に当接するとともに、外側移動格子３Ａが縦枠材２１に当接した状態、即ち、内側移動格子３Ｂと外側移動格子３Ａとが前述した状態と反対の引き違い位置になった状態では、スクリーン４は、外側移動格子３Ａの内側と内側移動格子３Ｂの外側に位置した状態で移動格子３の全幅に亘って張設される。従って、先に開放されていた開口部５はスクリーン４により全て遮蔽される。この状態でも、縦格子３１ｂのロック操作子３５ａを操作して内側移動格子３Ｂを固定し、ひいては外側移動格子３Ａも固定することができる。
この結果、上記窓は面格子により防犯性を付与されるとともに、スクリーン４により完全に目隠しされる。
【００２６】
上記実施例では、移動格子３を外側及び内側の二つの移動格子３Ａ，３Ｂによって構成しているが、任意の複数の移動格子を用いることができ、それらの移動格子には任意数の縦格子を設けて、それらのうちの一つまたは複数を、スクリーン４が出入自在に収納されたスクリーン格子３４とすることができる。また、上記面格子枠２の全面を移動格子の移動に連動するスクリーン４で遮蔽可能にする必要はなく、主要部分のみを該スクリーンで開放、遮蔽可能とし、他部は必要に応じて単純な手動で遮蔽、開放できるスクリーンとすることもできる。
【００２７】
更に、上述した各実施例では、移動格子３Ａ，３Ｂを左右に引き違いとした場合について説明したが、本発明においては、該移動格子を上下に引き違いにした面格子にも適用することができ、この場合には、単純に上記実施例として示した面格子の上下方向を水平に向けて設置すればよい。
【図面の簡単な説明】
【００２８】
【図１】本発明に掛かる面格子の第１実施例のスクリーン収納状態を示す正面図である。
【図２】同背面図である。
【図３】図２のＡ−Ａ線での断面図である。
【図４】面格子本体の開口部をスクリーンで遮蔽した状態の正面図である。
【図５】同背面図である。
【図６】図４のＢ−Ｂ線での断面図である。
【図７】図１のＣ−Ｃ位置での断面図である。
【図８】（Ａ）〜（Ｃ）は、上記第１実施例とは異なる移動格子の同期移動機構における異なる移動状態を示す模式的平面図である。
【図９】（Ａ）〜（Ｃ）は、更に他の同期移動機構における移動格子の異なる移動状態を示す模式的平面図である。
【符号の説明】
【００２９】
１        面格子本体
２        面格子外枠
３        移動格子
３Ａ      外側移動格子
３Ｂ      内側移動格子
４        スクリーン
５        開口部
２０，２１    縦枠材
２２，２３    上下横枠材
３１ａ〜３１ｃ    縦格子
３２，３３      上下部横格子
３４      スクリーン格子
３４ａ      巻取り軸
３５      ロック機構
３５ａ      ロック操作子
３５ｂ      ロッド
３５ｃ      開口
４０ａ，４０ｂ，４１ａ，４１ｂ，４２ａ，４２ｂ    ワイヤー
４３Ａ，４３Ｂ      ワイヤー巻掛具
【図１】
2006104677.tif 000003
【図２】
2006104677.tif 000004
【図３】
2006104677.tif 000005
【図４】
2006104677.tif 000006
【図５】
2006104677.tif 000007
【図６】
2006104677.tif 000008
【図７】
2006104677.tif 000009
【図８】
2006104677.tif 000010
【図９】
2006104677.tif 000011